(57)【要約】【課題】飛行性能に優れ、毛羽の生じにくいゴルフボール１の提供。【解決手段】ディンプル４は、側壁曲面８及びエッジ近傍曲面９を備えている。側壁曲面８は、ディンプルエッジＥｄから深さ方向に深さの２０％下がった地点Ｐ４と、ディンプルエッジＥｄから深さ方向に深さの５０％下がった地点Ｐ３との間に位置している。エッジ近傍曲面９は、ディンプルエッジＥｄと、ディンプルエッジＥｄから深さ方向に深さの１０％下がった地点Ｐ５との間に位置している。直径が３．９０ｍｍ以上であるディンプル４の数ＮＬの、ディンプル総数Ｎに対する比率は、７５％以上である。エッジ近傍曲面９の曲率半径Ｒｅと側壁曲面８の曲率半径Ｒｗとの比（Ｒｅ／Ｒｗ）が０．５以上１．５以下であり、直径が３．９０ｍｍ以上であり、曲率半径Ｒｅが２．０ｍｍ以上５．０ｍｍ以下であるディンプルの数ＭＬの、数ＮＬに対する比率は、５０％以上である。【選択図】  図３
2004321529.tif 000002
【特許請求の範囲】
【請求項１】
その表面に多数のディンプルを備えており、
これらディンプルの表面積占有率Ｙが７５％以上であり、
その直径が３．９０ｍｍ以上であるディンプルの数ＮＬの、ディンプルの総数Ｎに対する比率が７５％以上であり、
その直径が３．９０ｍｍ以上であって、下記数式（１）を満たし、かつ下記数式（１）における曲率半径Ｒｅが２．０ｍｍ以上５．０ｍｍ以下であるディンプルの数ＭＬの、数ＮＬに対する比率が５０％以上であるゴルフボール。
０．５  ≦  Ｒｅ／Ｒｗ  ≦  １．５      （１）
（Ｒｅは、ディンプルエッジと、ディンプルエッジから深さ方向に深さの１０％下がった地点との間の曲面の曲率半径を表す。Ｒｗは、ディンプルエッジから深さ方向に深さの２０％下がった地点と、ディンプルエッジから深さ方向に深さの５０％下がった地点との間の曲面の曲率半径を表す。）
【請求項２】
上記数ＭＬの、数ＮＬに対する比率が１００％である請求項１に記載のゴルフボール。
【請求項３】
上記数式（１）を満たすディンプルの数Ｍの、総数Ｎに対する比率が９０％以上である請求項１又は２に記載のゴルフボール。
【発明の詳細な説明】
【０００１】
【発明の属する技術分野】
本発明は、ゴルフボールに関する。詳細には、本発明は、ディンプルの断面形状の改良に関するものである。
【０００２】
【従来の技術】
ゴルフボールは、その表面に多数のディンプルを備えている。ディンプルの役割は、飛行時のゴルフボール周りの空気の流れを乱すことによって乱流剥離を起こさせることにある。乱流剥離によって空気のゴルフボールからの剥離点が後方に下がり、抗力係数（Ｃｄ）が小さくなる。乱流剥離によってバックスピンに起因するゴルフボールの上側と下側とにおける剥離点の差が助長され、ゴルフボールに作用する揚力が高められる。抗力の低減と揚力の向上とによって、ゴルフボールの飛距離が増大する。空力的に優れたディンプルは、乱流剥離を促進する。換言すれば、空力的に優れたディンプルは、空気の流れをよりよく乱しうる。
【０００３】
飛行性能向上を意図したディンプル断面形状の改良が、種々提案されている。特開平９−７０４４９号公報には、所定形状のダブルラジアスディンプルを備えたゴルフボールが開示されている。特開平１１−８９９６７号公報には、エッジの角度と曲率半径とが所定範囲に設定されたゴルフボールが開示されている。
【０００４】
ゴルフボールの飛行性能に大きく影響を与える仕様として、ディンプルの密度（「表面積占有率」とも呼ばれている）が挙げられる。密度が大きなゴルフボールは、飛行性能に優れる。密度に関する種々の提案がなされている。特開昭６２−１９２１８１号公報には、平均面積以上の面積を備えた新たなディンプルが形成されえないように、密にディンプルが配置されたゴルフボールが開示されている。
【０００５】
ディンプルの直径も、ゴルフボールの飛行性能に大きな影響を与える。直径の大きなディンプルが多く形成されることで、弾道初期の抗力が低減されたゴルフボールが市販されている。
【０００６】
【特許文献１】
特開平９−７０４４９号公報
【特許文献２】
特開平１１−８９９６７号公報
【特許文献３】
特開昭６２−１９２１８１号公報
【０００７】
【発明が解決しようとする課題】
ゴルフボールとゴルフクラブとのインパクト時には、ゴルフクラブの表面がゴルフクラブのフェースラインで擦られる。これにより、ゴルフボールの表面が毛羽立つ。この毛羽は、ゴルフボールの外観を著しく低下させる。ディンプルのエッジの近傍は力が集中しやすいので、毛羽が生じやすい。毛羽は、ディンプルの輪郭に沿って残存する。
【０００８】
ディンプルの表面積占有率Ｙが大きなゴルフボールでは、インパクト時の実質的な接触面積が小さいので、エッジの近傍に大きな圧力が加わる。表面積占有率Ｙが大きなゴルフボールでは、毛羽が生じやすい。前述のように毛羽はディンプルの輪郭に沿って残存するので、輪郭の長いディンプル、換言すれば直径の大きなディンプルでは、毛羽が目立つ。直径の大きなディンプルを備え、かつ表面積占有率Ｙが大きなゴルフボールにおいて、外観低下の抑制が急務である。
【０００９】
本発明の目的は、飛行性能に優れ、かつ毛羽の生じにくいゴルフボールの提供にある。
【００１０】
【課題を解決するための手段】
本発明に係るゴルフボールは、表面に多数のディンプルを備えている。これらディンプルの表面積占有率Ｙは、７５％以上である。その直径が３．９０ｍｍ以上であるディンプルの数ＮＬの、ディンプルの総数Ｎに対する比率は、７５％以上である。その直径が３．９０ｍｍ以上であって、下記数式（１）を満たし、かつ下記数式（１）における曲率半径Ｒｅが２．０ｍｍ以上５．０ｍｍ以下であるディンプルの数ＭＬの、数ＮＬに対する比率は、５０％以上である。
０．５  ≦  Ｒｅ／Ｒｗ  ≦  １．５      （１）
この式において、Ｒｅは、ディンプルエッジと、ディンプルエッジから深さ方向に深さの１０％下がった地点との間の曲面の曲率半径を表す。この式においてＲｗは、ディンプルエッジから深さ方向に深さの２０％下がった地点と、ディンプルエッジから深さ方向に深さの５０％下がった地点との間の曲面の曲率半径を表す。このゴルフボールにおける比（Ｒｅ／Ｒｗ）は、従来のゴルフボールにおける比（Ｒｅ／Ｒｗ）に比べて大きい。比（Ｒｅ／Ｒｗ）が０．５以上１．５以下であるディンプルは、飛行性能に寄与する。このディンプルでは、毛羽が生じにくい。
【００１１】
理想的には、数ＭＬの数ＮＬに対する比率は１００％である。飛行性能及び毛羽の抑制の観点から、数式（１）を満たすディンプルの数Ｍの総数Ｎに対する比率は、９０％以上が好ましい。
【００１２】
【発明の実施の形態】
以下、適宜図面が参照されつつ、好ましい実施形態に基づいて本発明が詳細に説明される。
【００１３】
図１は、本発明の一実施形態に係るゴルフボール１が示された一部切り欠き断面図である。このゴルフボール１は、球状のコア２と、カバー３とを備えている。カバー３の表面には、多数のディンプル４が形成されている。ゴルフボール１の表面のうちディンプル４以外の部分は、ランド５である。このゴルフボール１は、カバー３の外側にペイント層及びマーク層を備えているが、これらの図示は省略されている。
【００１４】
このゴルフボール１の直径は、通常は４０ｍｍから４５ｍｍ、さらには４２ｍｍから４４ｍｍである。米国ゴルフ協会（ＵＳＧＡ）の規格が満たされる範囲で空気抵抗が低減されるという観点から、直径は４２．６７ｍｍ以上４２．８０ｍｍ以下が特に好ましい。このゴルフボール１の質量は、通常は４０ｇ以上５０ｇ以下、さらには４４ｇ以上４７ｇ以下である。ＵＳＧＡの規格が満たされる範囲で慣性が高められるという観点から、質量は４５．００ｇ以上４５．９３ｇ以下が特に好ましい。
【００１５】
コア２は、ゴム組成物が架橋されることによって形成されている。ゴム組成物の基材ゴムとしては、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点からポリブタジエンが好ましく、特にハイシスポリブタジエンが好ましい。
【００１６】
コア２の架橋には、通常は共架橋剤が用いられる。反発性能の観点から好ましい共架橋剤は、アクリル酸亜鉛、アクリル酸マグネシウム、メタクリル酸亜鉛及びメタクリル酸マグネシウムである。ゴム組成物には、共架橋剤と共に有機過酸化物が配合されるのが好ましい。好適な有機過酸化物としては、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００１７】
ゴム組成物には、充填剤、硫黄、老化防止剤、着色剤、可塑剤、分散剤等の各種添加剤が、必要に応じて適量配合される。コア２に、架橋ゴム粉末又は合成樹脂粉末が配合されてもよい。
【００１８】
コア２の直径は、通常は３０．０ｍｍ以上４２．０ｍｍ以下、特には３８．０ｍｍ以上４１．５ｍｍ以下である。コア２が、２以上の層から構成されてもよい。
【００１９】
カバー３は、合成樹脂組成物から成形されている。カバー３の基材樹脂としては、アイオノマー樹脂、熱可塑性スチレンエラストマー、熱可塑性ポリウレタンエラストマー、熱可塑性ポリアミドエラストマー、熱可塑性ポリエステルエラストマー及び熱可塑性ポリオレフィンエラストマーが例示される。
【００２０】
カバー３には、必要に応じ、着色剤、充填剤、分散剤、酸化防止剤、紫外線吸収剤、光安定剤、蛍光剤、蛍光増白剤等が適量配合される。比重調整の目的で、カバー３にタングステン、モリブデン等の高比重金属の粉末が配合されてもよい。
【００２１】
カバー３の厚みは、通常は０．３ｍｍ以上６．０ｍｍ以下、特には０．６ｍｍ以上２．４ｍｍ以下である。カバー３が、２以上の層から構成されてもよい。
【００２２】
図２は、図１のゴルフボール１が示された拡大平面図である。図２から明らかなように、全てのディンプル４の平面形状は円形である。図２では、ゴルフボール１の表面が１０個の等価なユニットに区画された場合の１個のユニットにおいて、符号ＡからＤによってディンプル４の種類が示されている。このゴルフボール１は、直径が４．３５ｍｍであるディンプルＡと、直径が３．９０ｍｍであるディンプルＢと、直径が３．４０ｍｍであるディンプルＣと、直径が３．２０ｍｍであるディンプルＤとを備えている。ディンプルＡの個数は７０個であり、ディンプルＢの個数は２６０個であり、ディンプルＣの個数は４０個であり、ディンプルＤの個数は４０個である。このゴルフボール１のディンプル４の総数は、４１０個である。
【００２３】
ディンプル４の総面積が仮想球の表面積に占める比率は、表面積占有率Ｙと称される。本発明に係るゴルフボール１の表面積占有率Ｙは、７５％以上である。表面積占有率Ｙが上記範囲未満であると、ゴルフボール１の飛行性能が不十分となることがある。この観点から、表面積占有率Ｙは７６％以上がより好ましく、７７％以上が特に好ましい。表面積占有率Ｙが過大であると、ディンプル４が他のディンプル４を干渉することがある。この観点から、表面積占有率は９０％以下が好ましく、８８％以下がより好ましく、８７％以下が特に好ましい。
【００２４】
ディンプル４の面積は、無限遠からゴルフボール１の中心を見た場合の、エッジラインに囲まれた領域の面積（すなわち平面形状の面積）である。平面形状が円形であるディンプル４の場合は、下記数式によって面積ｓが算出される。
ｓ＝（ｄ／２）２×π
【００２５】
図２に示されたゴルフボール１では、ディンプルＡの面積は１４．８６２ｍｍ２であり、ディンプルＢの面積は１１．９４６ｍｍ２であり、ディンプルＣの面積は９．０７９ｍｍ２であり、ディンプルＤの面積は８．０４２ｍｍ２である。これらディンプルの総面積は、４８３１．１ｍｍ２である。この総面積が仮想球の表面積で除されることにより、表面積占有率が算出される。このゴルフボール１では、表面積占有率は８４％である。
【００２６】
図３は、図１のゴルフボール１の一部が示された拡大断面図である。この図には、ディンプル４の最深箇所及びゴルフボール１の中心を通過する断面が示されている。図３における上下方向は、ディンプル４の深さ方向である。深さ方向は、ディンプル４の面積重心からゴルフボール１の中心へ向かう方向である。図３において二点鎖線で示されているのは、仮想球６である。仮想球６の表面は、ディンプル４が存在しないと仮定されたときのゴルフボール１の表面である。ディンプル４は、仮想球６から凹陥している。ランド５は、仮想球６と一致している。
【００２７】
図３において両矢印ｄで示されているのは、ディンプル４の直径である。この直径ｄは、ディンプル４の両側に共通の接線Ｔが画かれたときの、一方の接点Ｅｄと他方の接点Ｅｄとの距離である。接点Ｅｄは、ディンプル４のエッジでもある。エッジＥｄは、ディンプル４の平面形状を画定する。図３において符号Ｐ１で示されているのは、ディンプル４の最深部である。接線Ｔと最深部Ｐ１との距離は、ディンプル４の深さＤｐである。
【００２８】
図３において符号Ｐ２で示されているのは、エッジＥｄから（Ｄｐ・０．８５）の距離だけ下方の地点である。符号Ｐ３で示されているのは、エッジＥｄから（Ｄｐ・０．５）の距離だけ下方の地点である。符号Ｐ４で示されているのは、エッジＥｄから（Ｄｐ・０．２）の距離だけ下方の地点である。符号Ｐ５で示されているのは、エッジＥｄから（Ｄｐ・０．１）の距離だけ下方の地点である。
【００２９】
ディンプル４は、ボトム曲面７、側壁曲面８及びエッジ近傍曲面９を備えている。ボトム曲面７は碗状であり、側壁曲面８及びエッジ近傍曲面９はリング状である。ボトム曲面７は、点Ｐ２よりも下方に位置している。ボトム曲面７は、最深部Ｐ１を含んでいる。側壁曲面８は、点Ｐ３と点Ｐ４との間に位置している。エッジ近傍曲面９は、点Ｐ５よりも上方に位置している。
【００３０】
ボトム曲面７は、全体的として内向きに凸である。ボトム曲面７は、部分的に外向きに凸であってもよく、部分的に内外方向に関して平坦であってもよい。ボトム曲面７の全ての地点において、曲面が内向きに凸であることが好ましい。側壁曲面８は、全体的として内向きに凸である。側壁曲面８は、部分的に外向きに凸であってもよく、部分的に内外方向に関して平坦であってもよい。側壁曲面８の全ての地点において、曲面が内向きに凸であるのが好ましい。エッジ近傍曲面９は、全体的として外向きに凸である。エッジ近傍曲面９は、部分的に内向きに凸であってもよく、部分的に内外方向に関して平坦であってもよい。エッジ近傍曲面９の全ての地点において、曲面が外向きに凸であるのが好ましい。
【００３１】
ボトム曲面７の曲率半径Ｒｂは、図３に示された点Ｐ２と、この点Ｐ２とは最深部Ｐ１を挟んで対向する他の点Ｐ２と、最深部Ｐ１との３点を通過する円弧が想定されたときのこの円弧の半径である。側壁曲面８の曲率半径Ｒｗは、点Ｐ３と、エッジＥｄから（Ｄｐ・０．３５）の距離だけ下方の点と、点Ｐ４との３点を通過する円弧が想定されたときのこの円弧の半径である。エッジ近傍曲面９の曲率半径Ｒｅは、点Ｐ５と、エッジＥｄから（Ｄｐ・０．０５）の距離だけ下方の点と、エッジＥｄとの３点を通過する円弧が想定されたときのこの円弧の半径である。
【００３２】
図３に示されたディンプル４は、上記数式（１）を満たす。換言すれば、このディンプル４では、比（Ｒｅ／Ｒｗ）は０．５以上である。従来の一般的なゴルフボール１では、比（Ｒｅ／Ｒｗ）は０．２以下である。図３に示されたゴルフボール１の比（Ｒｅ／Ｒｗ）は、大きい。換言すれば、このディンプル４では、曲率半径Ｒｅが比較的大きく、曲率半径Ｒｗが比較的小さい。曲率半径Ｒｅが大きいので、インパクト時のエッジ近傍曲面９における力の集中が生じにくい。このディンプル４を備えたゴルフボール１では、表面積占有率Ｙが大きくかつ直径の大きなディンプル４が多数形成されているにもかかわらず、毛羽が抑制される。側壁曲面８の曲率半径Ｒｗが小いので、この側壁曲面８では仮想球６に対する傾斜角度が大きい。この側壁曲面８は、空気の流れを乱す効果に優れる。曲率半径Ｒｅが大きなエッジ近傍曲面９は空気の流れを乱す効果に劣るが、飛行性能に関しては、側壁曲面８がエッジ近傍曲面９を補完する。このディンプル４を備えたゴルフボール１では、外観低下が生じにくく、しかも飛行性能が維持される。外観と飛行性能との両立の観点から、比（Ｒｅ／Ｒｗ）は０．６以上がより好ましく、０．７以上が特に好ましい。
【００３３】
比（Ｒｅ／Ｒｗ）が大きすぎるとホップする弾道となるので、比（Ｒｅ／Ｒｗ）は１．５以下に設定される。比（Ｒｅ／Ｒｗ）は１．３以下、さらには１．２以下、さらには１．１以下が好ましい。
【００３４】
毛羽抑制の観点から、エッジ近傍曲面９の曲率半径Ｒｅは２．０ｍｍ以上に設定される。曲率半径Ｒｅは２．２ｍｍ以上がより好ましく、２．４ｍｍ以上が特に好ましい。飛行性能の観点から、曲率半径Ｒｅは５．０ｍｍ以下に設定される。曲率半径Ｒｅは４．８ｍｍ以下がより好ましく、４．６ｍｍ以下が特に好ましい。
【００３５】
毛羽抑制の観点から、側壁曲面８の曲率半径Ｒｗは１．０ｍｍ以上が好ましく、２．０ｍｍ以上がより好ましく、３．０ｍｍが特に好ましい。飛行性能の観点から、曲率半径Ｒｗは１０．０ｍｍ以下が好ましく、９．０ｍｍ以下がより好ましく、８．０ｍｍ以下が特に好ましい。
【００３６】
本明細書では、以下の記号によってディンプル４の数が示される。
Ｎ：  ディンプル４の総数
ＮＬ：その直径が３．９０ｍｍ以上であるディンプル４の数
Ｍ：  上記数式（１）を満たすディンプル４の数
ＭＬ：その直径が３．９０ｍｍ以上であって、上記数式（１）を満たし、かつ曲率半径Ｒｅが２．０ｍｍ以上５．０ｍｍ以下であるディンプルの数
【００３７】
本発明では、数ＮＬの総数Ｎに対する比率は、７５％以上である。換言すれば、本発明に係るゴルフボール１は、大きなディンプル４を多数備える。このゴルフボール１は、飛行性能に優れる。このゴルフボール１が飛行性能に優れる理由の１つは、その直径が３．９０ｍｍ以上であるディンプル４が弾道初期の抗力低減に寄与するためと推測される。飛行性能の観点から、数ＮＬの総数Ｎに対する比率は７７％以上がより好ましく、８０％以上が特に好ましい。この比率の上限は、１００％である。
【００３８】
本発明では、数ＭＬの数ＮＬに対する比率は、５０％以上である。換言すれば、大きなディンプル４では、なるべく比（Ｒｅ／Ｒｗ）が０．５以上１．５以下に設定され、かつ曲率半径Ｒｅが２．０ｍｍ以上５．０ｍｍ以下に設定される。これにより、ゴルフボール１の外観低下が抑制される。数ＭＬの数ＮＬに対する比率は７０％以上、さらには８５％以上、さらには９０％以上が好ましい。この比率は、理想的には１００％である。
【００３９】
本発明では、数Ｍの総数Ｎに対する比率は、９０％以上が好ましい。換言すれば、個々のディンプル４において、直径の如何にかかわらず、なるべく比（Ｒｅ／Ｒｗ）が０．５以上１．５以下に設定される。これにより、ゴルフボール１の外観低下が抑制される。数Ｍの総数Ｎに対する比率は、９５％以上がより好ましい。この比率は、理想的には１００％である。
【００４０】
ボトム曲面７の曲率半径Ｒｂは、最適なディンプル容積が得られる範囲で適宜決定される。曲率半径Ｒｂは、通常は２ｍｍから６０ｍｍ、さらには４ｍｍから５９ｍｍ、さらには５ｍｍから５８ｍｍ、さらには１０ｍｍから５７ｍｍ、さらには１５ｍｍから５６ｍｍ、さらには２０ｍｍから５５ｍｍに設定される。
【００４１】
図３において両矢印Ｆで示されているのは、仮想球６と最深部Ｐ１との距離である。距離Ｆは、０．１０ｍｍ以上０．６０ｍｍ以下が好ましい。距離Ｆが上記範囲未満であると、ホップする弾道となることがある。この観点から、距離Ｆは０．１２５ｍｍ以上がより好ましく、０．１４ｍｍ以上が特に好ましい。距離Ｆが上記範囲を超えると、ドロップする弾道となることがある。この観点から、距離Ｆは０．５５ｍｍ以下がより好ましく、０．５０ｍｍ以下が特に好ましい。
【００４２】
図３において仮想球６とディンプル４とに囲まれた部分の容積は、ディンプル４の容積である。ディンプル４の総容積は、３００ｍｍ３以上７００ｍｍ３以下が好ましい。総容積が上記範囲未満であると、ホップする弾道となることがある。この観点から、総容積は３５０ｍｍ３以上がより好ましく、４００ｍｍ３以上が特に好ましい。総容積が上記範囲を超えると、ドロップする弾道となるおそれがある。この観点から、総容積は６５０ｍｍ３以下がより好ましく、６００ｍｍ３以下が特に好ましい。
【００４３】
図１から図３に示されたゴルフボール１では、ディンプルＡの容積は１．７９３ｍｍ３であり、ディンプルＢの容積は１．３１１ｍｍ３であり、ディンプルＣの容積）は０．８９９ｍｍ３であり、ディンプルＤの容積は０．７５４ｍｍ３である。このゴルフボール１の総容積は、５３２．４ｍｍ３である。
【００４４】
ディンプル４の総数は、２００個以上５００個以下が好ましい。総数が上記範囲未満であると、ディンプル効果が得られにくい。この観点から、総数は２３０個以上がより好ましく、２６０個以上が特に好ましい。総数が上記範囲を超えると、個々のディンプル４のサイズが小さいことに起因してディンプル効果が得られにくい。この観点から、総数は４７０個以下がより好ましく、４４０個以下が特に好ましい。
【００４５】
形成されるディンプル４は単一種類でもよく、複数種類であってもよい。円形ディンプル４に代えて、又は円形ディンプル４とともに、非円形ディンプル（平面形状が円でないディンプル）が形成されてもよい。非円形ディンプルの具体例としては、多角形ディンプル、楕円ディンプル、長円ディンプル及び卵形ディンプルが挙げられる。非円形ディンプルの場合、４５°刻みで選定された４個の断面が選択され、これら断面において曲率半径Ｒｂ、Ｒｗ及びＲｅ並びに距離Ｆが測定される。得られたデータは、平均される。
【００４６】
曲率半径、直径ｄ、深さＤｐ、距離Ｆ、容積等のディンプル仕様は、ゴルフボール１が実測されることで求められる。エッジ近傍曲面９の曲率半径Ｒｅは、十分なサイズのランド５と隣接する箇所において測定される。
【００４７】
図１に示されたゴルフボール１はツーピース構造であるが、マルチピースゴルフボール、糸巻きゴルフボール又はワンピースゴルフボールにおいても、適正な断面形状が設定されることにより、飛行性能が高められうる。
【００４８】
【実施例】
以下、実施例に基づいて本発明の効果が明らかにされるが、この実施例の記載に基づいて本発明が限定的に解釈されるべきではない。
【００４９】
［実施例１］
ソリッドゴムからなり直径が３８．４ｍｍであるコアを金型に投入し、コアの周りにアイオノマー樹脂組成物を射出してカバー層を形成した。このカバー層の表面に塗装を施して、図２に示されたディンプルパターンを備えた実施例１のゴルフボールを得た。このゴルフボールのディンプルの仕様が、下記の表１に示されている。このゴルフボールの外径は約４２．７０ｍｍであり、質量は約４５．４ｇである。アッティエンジニアリング社のコンプレッションテスターによって測定されたゴルフボールのコンプレッションは、約８５である。
【００５０】
［実施例２から５及び比較例１から５］
ディンプルの仕様を下記の表１及び表２に示されるように設定した他は実施例１と同様にして、実施例２から５及び比較例１から５のゴルフボールを得た。実施例２のゴルフボールのディンプルパターンが、図４に示されている。
【００５１】
【表１】
2004321529.tif 000003
【００５２】
【表２】
2004321529.tif 000004
【００５３】
［飛距離テスト］
スイングマシン（ツルテンパー社製）に、メタルヘッドを備えたドライバー（住友ゴム工業社の「ＸＸＩＯ  Ｗ＃１」、ロフト：８°、シャフト硬度：Ｘ）を装着した。ヘッド速度が４９ｍ／ｓｅｃであり、打ち出し角度が約１１°であり、バックスピンの速度が約３０００ｒｐｍである条件でゴルフボールを打撃し、飛距離（発射地点から静止地点までの距離）を測定した。測定時は、ほぼ無風であった。２０個の測定結果の平均値が、下記の表３に示されている。
【００５４】
［外観の評価］
上記飛距離テストに供されたゴルフボールの外観を目視で観察し、毛羽発生の程度を「Ａ」から「Ｅ」の５ランクに格付けした。毛羽発生が最も少ないものを「Ａ」とし、毛羽発生が最も多いものを「Ｅ」とした。この結果が下記の表３に示されている。
【００５５】
【表３】
2004321529.tif 000005
【００５６】
表３に示されるように、実施例のゴルフボールは比較例のゴルフボールよりも飛距離が大きい。また、実施例のゴルフボールの外観のランクは、Ｃ以上である。この評価結果から、本発明の優位性は明らかである。
【００５７】
【発明の効果】
以上説明されたように、本発明のゴルフボールは飛行性能に優れる。このゴルフボールでは、毛羽が発生しにくい。
【図面の簡単な説明】
【図１】図１は、本発明の一実施形態に係るゴルフボールが示された一部切り欠き断面図である。
【図２】図２は、図１のゴルフボールが示された拡大平面図である。
【図３】図３は、図１のゴルフボールの一部が示された拡大断面図である。
【図４】図４は、本発明の実施例２に係るゴルフボールが示された平面図である。
【符号の説明】
１・・・ゴルフボール
２・・・コア
３・・・カバー
４・・・ディンプル
５・・・ランド
６・・・仮想球
７・・・ボトム曲面
８・・・側壁曲面
９・・・エッジ近傍曲面
Ａ・・・ディンプルＡ
Ｂ・・・ディンプルＢ
Ｃ・・・ディンプルＣ
Ｄ・・・ディンプルＤ
Ｅ・・・ディンプルＥ
Ｆ・・・ディンプルＦ
ｄ・・・直径
Ｄｐ・・・深さ
Ｅｄ・・・エッジ
Ｐ１・・・最深部
【図１】
2004321529.tif 000006
【図２】
2004321529.tif 000007
【図３】
2004321529.tif 000008
【図４】
2004321529.tif 000009